(57)【要約】【課題】輝度調整を適切に行なうことのできる電子機器を提供することである。【解決手段】本発明に係る電子機器は、情報を表示可能な表示部12と、該表示部に重畳して配設され、ユーザの入力を受け付けるタッチパネル14と、照度を検知可能な照度センサ22と、物体が近接したことを検知可能な近接センサ25と、前記照度センサ及び近接センサからの入力に基づいて、前記表示部の輝度を調整する輝度調整部44であって、前記近接センサが物体の近接を検知すると、前記照度センサに基づく前記表示部の輝度の調整を無効とする輝度調整部と、を具える。【選択図】  図４
2014107153.tif 000002
【特許請求の範囲】
【請求項１】
情報を表示可能な表示部と、
該表示部に重畳して配設され、ユーザの入力を受け付けるタッチパネルと、
照度を検知可能な照度センサと、
物体が近接したことを検知可能な近接センサと、
前記照度センサ及び近接センサからの入力に基づいて、前記表示部の輝度を調整する輝度調整部であって、
前記近接センサが物体の近接を検知すると、前記照度センサに基づく前記表示部の輝度の調整を無効とする輝度調整部と、
を具える電子機器。
【請求項２】
前記表示部の傾きを検知可能な傾き検知センサを具え、
前記輝度調整部は、
前記傾き検知センサにより、前記表示部が所定の向きとなったことが検知されている状態で前記近接センサが物体の近接を検知すると、前記照度センサに基づく前記表示部の輝度の調整を無効とする請求項１記載の電子機器。
【請求項３】
前記照度センサ及び近接センサは、一体型のモジュールで構成される、請求項１又は請求項２に記載の電子機器。
【請求項４】
情報を表示可能な表示部と、
該表示部に重畳して配設され、ユーザの入力を受け付けるタッチパネルと、
照度を検知可能な照度センサと、
物体が近接したことを検知可能な近接センサと、
を具え、
前記照度センサ及び近接センサからの入力に基づいて、前記表示部の輝度を調整する電子機器の制御方法であって、
前記近接センサが物体の近接を検知すると、前記照度センサに基づく前記表示部の輝度の調整を無効とする、
電子機器の制御方法。
【発明の詳細な説明】
【技術分野】
【０００１】
本発明は、輝度調整を適切に行なうことのできる電子機器及び該電子機器の制御方法に関するものである。
【背景技術】
【０００２】
タッチパネルと表示部とを重畳し、表示部に表示された画像やソフトウェアキーボード等の各種情報に対応する領域を指先やスタイラスペンなどで触れることで、文字入力などを行なう電子機器が知られている。
【０００３】
電子機器は、表示部を縦向き、横向きで使用することができ、その向きを内蔵された傾き検知センサにより検出して、表示部への情報の表示向きも縦、横に合わせるようにしている。
【０００４】
また、表示部の近傍に照度センサと近接センサからなるセンサモジュールを具えた電子機器も提案されている（例えば特許文献１参照）。
【０００５】
上記電子機器では、照度センサによって外部環境の照度を検知し、表示部の輝度を、使用される環境の照度に応じて制御する。また、近接センサによって通話時に顔がタッチパネルに接近したことを検知し、タッチパネルへの入力を無効として誤操作を防止すると共に、表示部をオフにして、消費電力を低減している。
【先行技術文献】
【特許文献】
【０００６】
【特許文献１】特開２０１１−７６２２号公報
【発明の概要】
【発明が解決しようとする課題】
【０００７】
照度センサ及び近接センサ、またはこれらを一体化したセンサモジュールは、通常の使用時において使用したときにユーザの指等に最も覆われにくい位置、即ち、表示部を縦方向で使用したときに、表示部の上部位置（本発明の一実施形態における図１の符号２２，２５参照）に配置されることが一般的である。
【０００８】
しかしながら、電子機器を横向きで使用したときには、電子機器を掴んだり操作するユーザの指によって、照度センサが覆われることがある。この結果、照度センサは、使用環境の照度に拘わらず、指に覆われたことによる照度の低下を検知し、表示部の輝度が下げられることとなる。つまり、明るい外部環境下で使用している場合でも、表示部の輝度が下がってしまう。
【０００９】
また、例えば、表示部上に表示されるキーボードエリアに文字等の入力を行なっているときには、タッチパネルを操作する指の動きによって、照度センサや近接センサが絶えず覆われたり露出することが想定される。この場合には、照度センサの出力に応じて頻繁に表示部の輝度が変更されることとなる。
【００１０】
このように、表示部の輝度が、使用環境の照度に関わりなく下がったり、頻繁に変更されると、表示部が見づらくなってしまい、また、消費電力も増大する虞がある。
【００１１】
本発明の目的は、輝度調整を適切に行なうことのできる電子機器を提供することである。
【課題を解決するための手段】
【００１２】
本発明に係る電子機器は、
情報を表示可能な表示部と、
該表示部に重畳して配設され、ユーザの入力を受け付けるタッチパネルと、
照度を検知可能な照度センサと、
物体が近接したことを検知可能な近接センサと、
前記照度センサ及び近接センサからの入力に基づいて、前記表示部の輝度を調整する輝度調整部であって、
前記近接センサが物体の近接を検知すると、前記照度センサに基づく前記表示部の輝度の調整を無効とする輝度調整部と、
を具える。
【００１３】
また、本発明に係る電子機器の制御方法は、
情報を表示可能な表示部と、
該表示部に重畳して配設され、ユーザの入力を受け付けるタッチパネルと、
照度を検知可能な照度センサと、
物体が近接したことを検知可能な近接センサと、
を具え、
前記照度センサ及び近接センサからの入力に基づいて、前記表示部の輝度を調整する電子機器の制御方法であって、
前記近接センサが物体の近接を検知すると、前記照度センサに基づく前記表示部の輝度の調整を無効とする。
【発明の効果】
【００１４】
本発明の電子機器及び電子機器の制御方法によれば、輝度調整を適切に行なうことができる。
【図面の簡単な説明】
【００１５】
【図１】図１は、本発明の一実施形態に係る電子機器を示す図である。
【図２】図２は、本発明の一実施形態に係る電子機器に搭載される照度センサと近接センサの一体型センサモジュールを示す図である。
【図３】図３は、図２に示した一体型センサモジュールの一実施形態を示す機能ブロック図である。
【図４】図４は、本発明の一実施形態に係る電子機器の要部機能ブロック図である。
【図５】図５は、メールソフトのメール作成機能を起動中に、ユーザの指が照度センサ及び近接センサを覆っていない状態を示す説明図である。
【図６】図６は、メールソフトのメール作成機能を起動中に、ユーザの指が照度センサ及び近接センサを覆った状態を示す説明図である。
【図７】図７は、本発明の一実施形態に係る電子機器の表示部の輝度の調整動作を示すフローチャート図である。
【図８】図８は、ユーザの指が照度センサ及び近接センサを連続して覆った状態における両センサの出力の変化を示すダイアグラムである。
【図９】図９は、ユーザの指が照度センサ及び近接センサを不規則に覆った状態における両センサの出力の変化を示すダイアグラムである。
【発明を実施するための形態】
【００１６】
以下、本発明の一実施形態について説明を行なう。
本発明の一実施形態に係る電子機器１０は、携帯電話機、スマートフォン、ＰＤＡ（Ｐｅｒｓｏｎａｌ  Ｄｉｇｉｔａｌ  Ａｓｓｉｓｔａｎｔ）等の携帯型の電子機器とすることができる。さらに、本発明の一実施形態に係る電子機器は、携帯型の電子機器や、サイズが７〜１０インチ程度のタブレット端末の如き電子機器であっても良い。
【００１７】
電子機器１０は、図１に示すように、表示部１２と、該表示部１２に重畳して配設されるタッチパネル１４を具える。表示部１２は、バックライト等により輝度調整が可能なものを採用できる。また、タッチパネル１４は、静電容量方式や抵抗膜方式を例示でき、ユーザが直接指先で接触したり、スタイラスペン等を接触させることで操作することができる。本実施例では、静電容量方式を用いる。なお、以下では、タッチパネル１４の操作をユーザの指先とする。もちろん、本発明の電子機器の一実施形態の操作方法において、指による操作は一例であり、その他スタイラスベンなど適宜な方法により操作をすることができる。
【００１８】
表示部１２とタッチパネル１４は、図１に示すように、周縁及び裏面がケーシング１５により包囲される。表示部１２の周囲には、照度センサ２２、近接センサ２５、レシーバ１６、フロントカメラ１７、タッチキー１８等が配置される。また、ケーシング１５の内部の適所には、傾き検知センサ３０が配置される。なお、表示部１２、タッチパネル１４、照度センサ２２、近接センサ２５及び傾き検知センサ３０以外の部材については、本発明において必須の構成ではなく、また、これら以外の部材を配置することもできる。
【００１９】
以下では、説明の便宜上、図１に示すように矩形の表示部１２の長手方向が上下となる使用状態を縦向き、表示部１２の長手方向が左右となる使用状態を横向き（後述する図５及び図６参照）とする。また、参照する図面に基づいて、説明中における上下、左右等の向きを規定する。
【００２０】
図１の電子機器１０では、上下方向は、表示部１２の長手方向に一致している。表示部１２の上部には、左側に照度センサ２２と近接センサ２５が配置され、中央に通話や音響用のレシーバ１６が配置されている。照度センサ２２及び近接センサ２５と対向するケーシング１５は、外部の光を入射可能となるように透光性の材料で形成される。
【００２１】
このように、照度センサ２２と近接センサ２５をレシーバ１６の近傍に配置しているのは、電子機器１０を通話に使用する際に、レシーバ１６を耳や頬に近接させることで、近接センサ２５により顔がタッチパネル１４に接近したことを検知し、タッチパネル１４への入力を無効として誤操作を防止すると共に、表示部１２をオフにして、消費電力を低減するためである。もちろん、照度センサ２２及び近接センサ２５の位置はこれに限定されるものではないし、レシーバ１６は前述のとおり本発明の必須構成要素ではない。
【００２２】
また、図示の実施形態では、レシーバ１６の右側に撮像用のフロントカメラ１７が配置されているが、上述したとおり、これも本発明の必須構成要素ではないし、配置もこれに限定されるものではない。
【００２３】
押下式のタッチキー１８は、表示部１２の下側に配置されている。図示では、タッチキー１８は横長の１つのキーであるが、形状はこれに限定されず、また、タッチキー１８を配置しない構成、複数のキーを配置する構成とすることもできる。
【００２４】
前述した照度センサ２２は、外部環境の照度を検知するセンサである。図２及び図３に示すように、照度センサ２２は、フォトダイオード等の受光素子に入射した可視光を電流に変換し、アナログ信号又はデジタル信号として出力するものを例示することができる。
【００２５】
また、近接センサ２５は、物体の接近を検知するセンサである。図２及び図３に示すように、近接センサ２５は、赤外線発光素子２６から照射された赤外線が、物体に反射した赤外線反射光をフォトダイオード等の受光素子で電流に変換し、アナログ信号又はデジタル信号として出力するものを例示することができる。
【００２６】
照度センサ２２及び近接センサ２５は、図２に示すように、これらセンサ２２，２５が接近して配置された一体型のセンサモジュール２０とすることができる。図２に示すセンサモジュール２０は、照度センサ２２と近接センサ２５を並べて配置し、遮蔽板２１を挟んで赤外線発光素子２６を配置したものである。もちろん、照度センサ２２と近接センサ２５を別々のユニットとして構成することもできるが、本発明においては、これらセンサ２２，２５を接近して配置した構成について特に有用である。
【００２７】
図３は、一体型のセンサモジュール２０の一実施形態を示す機能ブロック図である。
図３に示すように、センサモジュール２０は、可視光に応答するフォトダイオードCh0（照度センサ２２）と赤外線に応答するフォトダイオードCh1（近接センサ２５）を具えている。これらフォトダイオードのアナログ電流値は、積分型ＡＤＣ部２３，２７に送信され、１６ビットのデジタル値に変換される。変換されたデジタル値は、データレジスタ部２３ａ，２７ａに送られる。センサモジュール２０は、Ｉ２Ｃインターフェイス２８を具えており、データレジスタ部２３ａ，２７ａに格納された値は、Ｉ２Ｃシリアルバスを介して後述する制御部４０に送られる。
【００２８】
また、データレジスタ部２７ａからのデジタル値は、割り込み信号発生部２７ｂに送られて、予め設定された閾値と比較され、該閾値よりも大きい場合には、制御部４０に割り込み信号（INT）を送信する。
【００２９】
赤外線発光素子２６は、定電流シンク２６ａにより制御された駆動電流を受けて発光する。赤外線発光素子２６には、所定の周期でパルス状に電流が流される。赤外線発光素子２６から照射された赤外線が、ユーザの指９０等によって反射されて、フォトダイオードCh1（近接センサ２５）の電流が増加する。
【００３０】
制御ロジック部２９は、積分型ＡＤＣ部２３，２７、定電流シンク２６ａやＩ２Ｃインターフェイス２８の各種制御を行なう。
【００３１】
上記機能ブロックは、後述する制御部４０の機能とすることもできるし、独立した機能としてセンサモジュール２０に搭載することもできる。
【００３２】
また、傾き検知センサ３０は、電子機器の傾きを検知するセンサである。傾き検知センサ３０として、電子機器の適所に配置されたジャイロセンサ、加速度センサを例示できる。本実施形態では、傾き検知センサ３０として、一例として加速度センサを採用することができる。
【００３３】
図４は、本発明の一実施形態に係る電子機器１０の要部機能ブロック図である。図４に示すように、表示部１２及びタッチパネル１４は、図４に示すように、制御部４０と電気的に接続され、制御部４０の制御に基づいて、表示部１２に種々の情報が表示されると共に、タッチパネル１４にユーザが接触することで、制御部４０により対応する操作が実行される。なお、実際には制御部４０は、ＣＰＵ、記憶部（メモリ）、記憶部に記憶された各種プログラム等によって実現されるが、図４では、これらの連繋によって実現される代表的な機能に関する機能ブロックを描いている。これら機能ブロックがハードウェアのみ、ソフトウエアのみ又はこれらの組合せによって実現可能であることは当然理解されるべきである。
【００３４】
図４を参照して、制御部４０の一実施形態について説明する。
制御部４０は、メイン制御部４１、タッチパネル判定部４２、表示制御部４３、輝度調整部４４、記憶部４５などを有する。また、制御部４０には、前述した照度センサ２２、近接センサ２５、赤外線発光素子２６からなるセンサモジュール２０、傾き検知センサ３０、レシーバ１６、フロントカメラ１７等が接続される。
【００３５】
メイン制御部４１は、電子機器の各機能ブロックの制御や管理の他、電子機器に関する全ての制御、管理を実行する。例えば、メイン制御部４１は、オペレーティングシステムの作動、メールソフト、動画再生、ブラウザなどのアプリケーションの実行、その他、通信や通話に関連する各種機能を実行する。
【００３６】
タッチパネル判定部４２は、タッチパネル１４へのユーザの入力を、その座標情報から検出して、メイン制御部４１に送信する。メイン制御部４１は、タッチパネル判定部５３から受信した座標情報から、その接触位置、変位量、変位方向、接触時間などを判定し、対応する操作を実行する。
【００３７】
表示制御部４３は、表示部１２を制御する。表示制御部４３は、起動しているアプリケーションに対応した情報を表示部１２に表示する。例えば、アプリケーションとしてメールソフトが起動している場合に、表示制御部４３は、メール作成画面においては、後述する図５及び図６に示すように、文字入力エリア５０、キーボードエリア５１等を表示部１２に表示する。
【００３８】
輝度調整部４４は、表示部１２のバックライト等への供給電圧を制御することで、表示部１２の輝度を調整する。より詳細には、輝度調整部４４は、照度センサ２２、近接センサ２５及び傾き検知センサ３０からの出力に基づいて、後述するフローチャート図７に基づいて、表示部１２の輝度を調整する。なお、輝度調整部４４は、上記した表示制御部４３の一機能とすることもできる。
【００３９】
記憶部４５は、ＲＯＭ、ＲＡＭ、フラッシュメモリ等から構成することができ、各種プログラムやオペレーティングシステム、アプリケーションなどの情報、これらに関連して表示される情報等を記憶する。また、記憶部４５は、タッチパネル１４から入力されたユーザの操作に関する情報、例えば、タッチパネル判定部４２からメイン制御部４１に送信される変位量、変位方向、接触時間などの閾値を記憶しており、これら閾値に基づいて、メイン制御部４１ではタッチパネル１４に入力された操作を判定する。
【００４０】
さらに、記憶部４５には、輝度調整部４４において行なわれる照度センサ２２、近接センサ２５、傾き検知センサ３０の各種設定値や閾値が記憶されており、これらセンサ２２，２５，３０の出力に基づいて調整されるべき表示部１２の最適な輝度等が記憶されている。
【００４１】
上記構成の電子機器１０において、図１に示すように、縦向きで使用される場合には、縦向きであることが傾き検知センサ３０により検知される。また、このとき、通常、ユーザは、電子機器１０を片手で背面側から掴むこととなるので、ユーザの指９０によって、照度センサ２２及び近接センサ２５は隠れることはない。従って、傾き検知センサ３０により電子機器１０が縦向きであることが検知されると、輝度調整部４４は、照度センサ２２の出力に基づいて、表示部１２の輝度を調整する。
【００４２】
通話等のために、ユーザが耳又は頬にレシーバ１６を接近させると、近接センサ２５は物体の近接を検知する。この検知状態が所定時間続くと、輝度調整部４４は、表示部１２をオフにして、消費電力を低減する。なお、このとき、タッチパネル１４への入力を無効として誤操作を防止するようにしてもよい。
【００４３】
一方、図５及び図６に示すように、電子機器１０を横向きで使用している場合、ユーザは、一般的に親指９０が表示部１２側、その他の四指は電子機器１０の背面側となるように電子機器１０を両手で掴んで使用する。
【００４４】
このとき、照度センサ２２と近接センサ２５は、図５及び図６に示すように、横向きとなった電子機器１０の左下に位置することとなる。このような場合において、例えばメールソフトなどのキーボードエリア５１を表示するアプリケーションを使用していると、文字入力のためにユーザの親指９０は、照度センサ２２及び近接センサ２５を露出させた状態（図５）、覆う状態（図６）を繰り返すことが想定される。また、動画再生等のアプリケーションを起動している場合には、親指９０が照度センサ２２及び近接センサ２５を覆ったままの状態（図６）が連続することが想定される。
【００４５】
斯かる状況下において、照度センサ２２の出力に応じて、表示部１２の輝度を調整すれば、表示部１２の輝度が外部環境の照度に関わりなく下がったり、頻繁な輝度の変化により、ユーザが見づらくなることがある。
【００４６】
そこで、本発明では、電子機器１０の表示部１２が所定の向き（本実施形態では横向き）となったことが、傾き検知センサ３０により検知されると、輝度調整部４４は、近接センサ２５の出力に基づいて、照度センサ２２の出力に基づく表示部１２の輝度調整を無効とするようにした。なお、輝度調整を無効にした場合には、表示部１２の輝度は、前回調整された輝度を維持することで、輝度が変化しないようにすることができる。
【００４７】
より詳細な制御の流れをフローチャート図７に示す。
例えば、メールソフトのメール作成機能や動画再生のアプリケーション等を起動した状態で、輝度調整制御が開始される（ステップＳ１）。
【００４８】
なお、フローチャート図７及び以下の説明において、変数及び配列について、次のように定義する。
変数ｎ：配列shoudo_buf[]のアドレスインクリメント用の変数である。
変数ｍ：配列shoudo_buf[]に規定回、値が格納されたかを判定する変数である。本フローチャート図ではｍの最大を例えば５とし、ｍが５となると、毎回平均化処理を行なう。
変数INT_flag：前回の近接センサ２５の読み取り時の近接検知結果（割り込み）の有無を示すフラグである。
配列shoudo_buf[]：照度の読み値のバッファである。本フローチャート図においては、例えば５回の平均値を算出するために使用する。
変数shoudo：照度の読み取り値（例えば５回）の移動平均である。
【００４９】
輝度調整部４４による輝度調整制御が開始されると（ステップＳ１）、まず、上記した変数ｎ、ｍを０、変数INT_flagをオフに初期化する（ステップＳ２）。
【００５０】
この状態で、表示部１２（ＬＣＤ）がオンであればステップＳ４に進む（ステップＳ３のＹｅｓ）。今回のケースでは、アプリケーションを起動しているので、表示部１２はオン状態であり、ステップＳ３はＹｅｓとなる。なお、表示部１２がオフであれば本フローチャートは終了する（ステップＳ３のＮｏ、ステップＳ１８）。
【００５１】
次に、輝度調整部４４は、電子機器１０の向きを傾き検知センサ３０により検知する（ステップＳ４）。今回のケースは横向きでの使用を想定したものであるため、ステップＳ４はＹｅｓとなり、続くステップＳ５へ進む。なお、縦向きでの使用の場合は、指９０によってセンサ２２，２５が覆われることは想定されがたいので、近接センサ２５をオフ、赤外線発光素子２６（IR LED）の発光を停止して、消費電力の低減を図り、照度センサ２２による表示部１２の輝度調整を行なうために、ステップＳ８へ進む（ステップＳ４のＮｏ、ステップＳ１６）。
【００５２】
図５及び図６に示すように、電子機器１０の向きが横向きであった場合には（ステップＳ４のＹｅｓ）、近接センサ２５をオンにし、赤外線発光素子２６を周期的に発光させる（ステップＳ５）。
【００５３】
この状態で、ユーザの指９０が近接センサ２５を覆っていない、即ち、近接センサ２５が物体の接近を検知してない場合には、近接センサ２５からの割り込み（INT）はないので（ステップＳ６のＹｅｓ）、ステップＳ７に移行し、後述するとおり、照度センサ２２の立ち上がりを考慮するために、前回の近接センサ２５の割り込みフラグ（INT_flag）の状態を参照する。
【００５４】
一方、ユーザの指９０が近接センサ２５を覆っている場合には、近接センサ２５からの割り込み（INT）が入るので（ステップＳ６のＮｏ）、近接センサの割り込みフラグ（INT_flag）をオンにして（ステップＳ１７）、後述するステップＳ１５へ移行する。すなわち、輝度調整部４４は、照度センサ２２の出力を参照するステップをスキップする（無効とする）ので、表示部１２の輝度は維持されたままとなる。
【００５５】
ステップＳ７では、近接センサ２５の前回の読み取り時における割り込みフラグ（INT_flag）の状態を参照し、割り込みフラグ（INT_flag）がオフであれば（ステップＳ７のＹｅｓ）、ステップＳ８以降において説明する表示部１２の輝度の調整を行なう。
【００５６】
一方、近接センサ２５の前回の読み取り時における割り込みフラグ（INT_flag）がオンであった場合には（ステップＳ７のＮｏ）、輝度調整部４４は、今回のフローと次回のフローでは照度センサ２２の出力を参照することなくスキップして、表示部１２の輝度を維持したまま、ステップＳ１４へ移行し、割り込みフラグ（INT_flag）をオフに書き換える。これにより、立ち上がり直後の照度センサ２２の値は参照されず、また、頻繁な表示部１２の輝度の調整を防ぐことができる。
【００５７】
表示部１２の輝度の調整は、ステップＳ８からステップＳ１３において実行される。すなわち、ステップＳ８において、まず、照度センサ２２の出力を配列shoudo_buf[n]に格納し、変数ｎ、ｍを夫々１インクリメントする（ステップＳ８）。変数ｍが５になるまでステップＳ８を繰り返し（ステップＳ９のＮｏ）、照度センサ２２の出力の５回分が格納されると（ステップＳ９のＹｅｓ）、得られた配列shoudo_buf[n]平均値（sum(shoudo_buf[0-4])/5、即ち、(shoudo_buf[0]+shoudo_buf[1]+shoudo_buf[2]+shoudo_buf[3]+shoudo_buf[4])/5）を算出して、変数shoudoに代入する（ステップＳ１０）。また、変数ｍを１デクリメントして、次回の読み取り以降、毎回平均処理を行なう。
【００５８】
次に、変数ｎが５であれば（すなわち、配列shoudo_buf[]に５個の値が格納されている場合）、変数ｎを０として（ステップＳ１１のＹｅｓ、ステップＳ１２）、続くステップＳ１３に進む。
変数ｎが５以外であれば（ステップＳ１１のＮｏ）、そのままステップＳ１３に進む。
上記により、再度ステップＳ８に戻ったときに、最も古い配列shoudo_buf[]が新たに読み込まれた配列shoudo_buf[]に書き換えられて、ステップＳ１０において移動平均値の変数shoudoが算出されることとなる。
【００５９】
上記により、得られた照度センサ２２の出力の移動平均となる変数shoudoが算出されるから、輝度調整部４４は、最新の移動平均である変数shoudoの値に基づいて、バックライトへの供給電圧を変える等により、表示部１２の輝度を調整、変更する（ステップＳ１３）。すなわち、輝度調整部４４は、例えば、表示部の輝度を、使用される環境の照度が高ければ（周囲環境が明るければ）輝度を高くし、使用される環境の照度が低ければ（周囲環境が暗ければ）輝度を低くするように制御する。
【００６０】
続くステップＳ１４では、前述のステップＳ６で近接センサ２５の割り込み（INT）がない状態であるので、割り込みフラグ（INT_flag）をオフに設定し、予め設定された所定のセンサ読み取り周期（例えば３００msec）のウェイトをかけて（ステップＳ１５）、ステップＳ３に戻る。
【００６１】
上記のように、本発明では、輝度調整部４４は、傾き検知センサ３０及び近接センサ２５の出力によって、照度センサ２２の出力を参照するか否かによる表示部１２の輝度調整の有効、無効を切り替えている。すなわち、近接センサ２５が指９０で連続して覆われた場合や、絶えず指９０が動いて近接センサ２５が不規則に覆われる場合等には表示部１２の輝度は変更されないから、頻繁な輝度の変更を防ぐことができる。
【００６２】
図８は、ユーザの指９０が近接センサ２５を連続して覆った状態を示す照度センサ２２と近接センサ２５の出力の変化を示すダイアグラムである。このようなケースは、電子機器１０を横向きにして動画再生などのアプリケーションを起動している状態に発生する。図において、近接センサ２５の割り込み（INT）が生じていない状態（Low）から、近接センサ２５に指９０が接近して、割り込み（INT）が生じる（High）と、フローチャート図７のステップＳ６がＮｏとなるから、照度センサ２２の読み取りは無効とされる（図８中×で示す）。この状態から、近接センサ２５を覆っていた指９０が移動して、近接センサ２５が露出し、その割り込み（INT）が無くなったときでも（Low）、ステップＳ７において１回目は照度センサ２２の値を参照しない。すなわち、立ち上がり直後の照度を十分に検知できていない照度センサ２２の出力は参照されないから、正確な照度検知を行なうことができる。
【００６３】
図９は、ユーザの指９０が不規則に近接センサ２５を覆った状態を示す照度センサ２２と近接センサ２５の出力の変化を示すダイアグラムである。このようなケースは、メールソフトをアプリケーションとして起動し、メール作成機能を使用している状態に発生する。図において、近接センサ２５の割り込み（INT）がHigh、Lowを頻繁に繰り返すこととなる。このような場合であっても、近接センサ２５を覆っていた指９０が移動して、近接センサ２５が露出し、その割り込み（INT）が無くなった場合には、ステップＳ７において１回目は照度センサ２２の値を参照しない。すなわち、立ち上がり直後の照度を十分に検知できていない照度センサ２２の出力は参照されないから、正確な照度検知を行なうことができ、頻繁な表示部１２の輝度変更を防ぐことができる。
【００６４】
なお、本発明の各部構成は上記実施の形態に限らず、特許請求の範囲に記載の技術的範囲内で種々の変形が可能である。
【００６５】
例えば、フローチャート図７及びその説明において、具体的に数値を例示しているが、これらは一実施形態であり、適宜数値を変更できることは理解されるべきである。また、上記では、照度センサ２２の出力の移動平均に基づいて表示部１２の輝度を決定しているが、他の演算手法により輝度を決定することもできる。
【００６６】
さらには、起動しているアプリケーションは、上記に限定されず、ブラウザ、ゲーム、画像や動画編集ソフトなどにも適用できることは勿論である。
【００６７】
加えて、起動しているアプリケーションに応じて、フローチャート図７及びその説明における数値や決定手法等を適宜設定できるようにしてもよい。
【産業上の利用可能性】
【００６８】
本実施形態は、使用状態に応じて表示部の輝度を調整することのできる電子機器として有用である。
【符号の説明】
【００６９】
１０  電子機器
１２  表示部
１４  タッチパネル
２０  センサモジュール
２２  照度センサ
２５  近接センサ
４０  制御部
４４  輝度調整部
【図１】
2014107153.tif 000003
【図２】
2014107153.tif 000004
【図３】
2014107153.tif 000005
【図４】
2014107153.tif 000006
【図５】
2014107153.tif 000007
【図６】
2014107153.tif 000008
【図７】
2014107153.tif 000009
【図８】
2014107153.tif 000010
【図９】
2014107153.tif 000011